(57)【特許請求の範囲】
【請求項１】
光ケーブル心線ａを導出入する心線導出入部１１と、該心線導出入部１１から入る心線相互を接続したコネクタｂを収納するコネクタ収納部１２と、心線余長を巻回して収納する心線余長収納部１３とを備えた心線接続用トレイ２並びに心線ドロップ用トレイ３の複数枚が上下に分けて多重に積み重ねて棚状のトレイ収納ケース４に挿脱自在に装着配備される光ケーブル接続用クロージャ１であって、
前記クロージャ１内に固着したフレーム４２に設けたトレイ収納ケース４に対してトレイベース５が摺動自在に嵌装され、該トレイベース５に突設された係合突部８に係合する係合凹部７を前記心線接続用トレイ２の底板の両側縁部対称位置に備え、該心線接続用トレイ２を前後いずれの方向でも着脱自在に装着できる構成とし、このトレイベース５に複数の心線接続用トレイ２を着脱自在で段積装着し、該心線接続用トレイ２の上段に心線ドロップ用トレイ３を備えた積層トレイの収納トレイ１０とし、前記トレイベース５を介して前記心線接続用トレイ２を個別に心線取り出し方向を上面にする方向で水平に挿脱自在に装着して備え、各トレイごとに所定角度開いて保持できる構成を有すると共に、心線接続部と心線余長とをそれぞれ個別に収納できる構成としたことを特徴とする光ケーブル接続用クロージャ。
【発明の詳細な説明】
【０００１】
【発明の属する技術分野】
本発明は、光通信ケーブル、特に光ファイバ心線を有する光ファイバケーブル（以下光ケーブル）の架空、地上或いは地下区間において、固定配線区画の配線点や、光ケーブル接続点における外被接続並びに架空乃至地上ケーブル或いは地下ケーブルと、ドロップ光ファイバケーブル或いは集合ドロップ光ファイバケーブルの接続のために用いられ、光ケーブルの接続部を保護して、心線余長を収納する光ケーブル接続用クロージャに関するものである。
【０００２】
【従来の技術】
従来より、光ケーブルの分岐、引込、接続などを行う場合、クロージャ内において光ケーブル心線相互を接続すると共に、光ケーブル心線の余長分を収納するための心線接続余長収納トレイが用いられている。このトレイは、心線を導出入する部分となる心線導出入部と、その心線導出入部から導出入させる幹線用光ケーブルから引き出された光ファイバ心線同士或いは分岐用光ケーブルから引き出された心線とを接続するコネクタ等の接続部が収納されるコネクタ収納部と、さらに接続された心線の余長部分を巻回して保護収納する心線余長収納部とを備えたものが知られており、接続機能専用クロージャ、或いはドロップ機能専用クロージャとして用いられている。
【０００３】
【発明が解決しようとする課題】
ところが、光ケーブルを用いた光通信網では光ケーブルの高密度、多心化或いは伝送高速度化が進むにつれて心線余長収納部ではその容量が不足しがちになり、クロージャ内での多数枚重ねられた収納トイレの多様化で接続機能とドロップ機能とが別々のクロージャとなっていると、その取扱いが面倒で、しかも心線余長の納まりが悪くなって、心線にストレスが掛ることが多かったり、心線の光損失が生じ伝送特性に悪影響を与えたり接続分岐に伴う作業や配線整理がやりにくいし、さらには増設も簡単には対応できずコンパクト化できないといった問題が生じている。
【０００４】
本発明は、これら従来の事情に鑑みてなされたものであり、光ケーブルの伝送特性に悪影響を与えることなく光ケーブルの接続や切り替え或いは分岐接続作業が容易に実施でき、テープ心線ごとの接続機能とドロップ機能とを統合して整理し、その収納並びに心線ごとの増減が簡単にでき増設も楽で、きわめてコンパクトに接続部を収納することができる取扱い簡便な架空または地下乃至地上載置用の光ケーブル接続用クロージャを安価な形態で提供することを目的とするものである。
【０００５】
【課題を解決するための手段】
上述の課題を解決するために、請求項１の発明は、光ケーブル心線を導出入する心線導出入部と、該心線導出入部から入る心線相互を接続したコネクタを収納するコネクタ収納部と、心線余長を巻回して収納する心線余長収納部とを備えた心線接続用トレイ並びに心線ドロップ用トレイの複数枚が上下に分けて多重に積み重ねて棚状のトレイ収納ケースに挿脱自在に装着配備される光ケーブル接続用クロージャであって、前記クロージャ内に固着したフレームに設けたトレイ収納ケースに対してトレイベースが摺動自在に嵌装され、該トレイベースに突設された係合突部に係合する係合凹部を前記心線接続用トレイの底板の両側縁部対称位置に備え、該心線接続用トレイを前後いずれの方向でも着脱自在に装着できる構成とし、このトレイベースに複数の心線接続用トレイを着脱自在で段積装着し、該心線接続用トレイの上段に心線ドロップ用トレイを備えた積層トレイの収納トレイとし、前記トレイベースを介して前記心線接続用トレイを個別に心線取り出し方向を上面にする方向で水平に挿脱自在に装着して備え、各トレイごとに所定角度開いて保持できる構成とすると共に、心線接続部と心線余長とをそれぞれ個別に収納できる構成としたことを特徴とする。
【０００６】
【作用】
本発明の光ケーブル接続用クロージャは、光ケーブル心線の接続部並びに接続余長部分を保護収納する複数の心線接続用トレイおよび心線ドロップ用トレイが、お互いにトレイベースを介して取出自在で開閉自在に収納されているので、任意の心線接続用トレイ並びに心線ドロップ用トレイを開いて、或いは取り出したりして心線の接続作業や接続状況の点検、確認、調整などを統合してきわめて容易に行うことができるし、また、各心線接続用トレイ或いは心線ドロップ用トレイは、接続単位で複層化したもので、心線接続部は固定しないし、心線余長も曲率半径を確保した上で取り回し収納できるし、心線余長の吸収に自由度を持たせて納められ、伝送特性に悪影響を及ぼすことがない。
しかも、心線接続後に上側の心線接続用トレイ或いは心線ドロップ用トレイを移動させて元の位置に戻しても光ケーブル心線に弛みが生じないし、心線に過度に屈曲することがなく曲率半径の小さい円弧状部分をも生じないで収納でき安全な保護ができるし、任意心線の取り出し、接続、再収納作業に対するハンドリング特性の向上が図れる。
さらに、心線接続用トレイ或いは心線ドロップ用トレイの集合体となる収納トレイが、トレイベースを介してトレイ収納ケースに挿し込むことで隣接されるトレイと容易に連結でき、またトレイ収納ケースから外して開閉することにより連結した各トレイを別個に開放露出することができ、接続作業や各トレイの更新並びに増設が容易にでき作業性の向上が図れる。
【０００７】
【発明の実施の形態】
本発明の実施例を図面を用いて説明すると、心線接続クロージャ１は、複数枚の心線接続用トレイ２と心線ドロップ用トレイ３とからなる収納トレイ１０を内装配備しているが、該心線接続用トレイ２並びに心線ドロップ用トレイ３には光ファイバ心線を導出入する心線導出入部１１と、該心線導出入部１１から入る心線相互を接続したコネクタｂを収納するコネクタ収納部１２と、心線余長を巻回して収納する心線余長収納部１３とを備えると共に、この心線接続用トレイ２並びに心線ドロップ用トレイ３の複数枚が上下に分けて多重に積み重ねてトレイ収納ケース４に挿脱自在に装着配備されているものである。
【０００８】
そして、前記心線接続トレイ２及び心線ドロップ用トレイ３は、合成樹脂により一体成形された成形品であり、図３及び図１０に示すように、略長方形状の外形を有し、内面側が同一形状に形成されたもので、前記各トレイ２，３の心線導出入部１１のある底板の両側縁部対称位置に係合凹部７，７それぞれ対向して設け、各トレイ２，３を重ねた状態において、トレイ収納ケース４に突設された係合凸部８に嵌挿してなるものである。
【０００９】
前記収納トレイ１０としては、図１乃至図６に示すように４心一括収納タイプとした心線接続用トレイ２と心線ドロップ用トレイ３を集合したもので、心線の接続部が収納保持されるコネクタ収納部１２と、該コネクタ収納部１２に保持された接続用コネクタから導出される心線余長を引き廻し、ループ状に巻回させて保持する心線余長収納部１３とを区画して備え、心線押え片２１のある略長方形の心線接続用トレイ２と心線ドロップ用トレイ３とを用いる。
【００１０】
この場合、前記クロージャ１内に固着したフレーム４２にトレイ収納ケース４を設け、該トレイ収納ケース４に対して摺動自在に嵌装され着脱自在に配備したトレイベース５に複数の心線接続用トレイ２を着脱自在で段積装着した積層トレイの収納トレイ１０とし、前記トレイベース５を介して前記心線接続用トレイ２が心線取出方向を上面にする方向で水平に挿脱自在に装着され、各トレイごとに所定角度開いて保持すできる構成とすると共に、心線接続部と心線余長とをそれぞれ個別に収納できる構成とし、該心線接続トレイ２或いは心線ドロップ用トレイ３の上面に蓋片６或いはトレイを観音開きに回動自在に設けてなる。
【００１１】
例えば、図示のように６段のトレイ収納ケース４の場合には、下側２段を用いて、心線接続用トレイ２の５枚（１トレイ，４０心で２００心）をトレイベース５に積層して収める。テープ接続４００心収納のときは下側４段を使用して前記トレイベース５を２つ用いる。また心線ドロップ用トレイ３はトレイ収納ケース４の上側から使用していき、テープ接続２００心収納のときは上段から４段目まで使用（ドロップ用トレイ４つ使用）でき、テープ接続４００心のときには、上段から２段目まで心線ドロップ用トレイ３の装着が可能となる。
【００１２】
なお、複数枚の前記心線接続用トレイ２をトレイベース５を介してトレイ収納ケース４、例えば棚状ケースに着脱自在とするには単独または前後方向を交互に逆に段積装着した積層トレイの収納トレイ１０として用いる。この場合、トレイベース５に突設された係合凸部８に係合する係合凹部７は前記心線接続用トレイ２の底板の両側縁部対称位置に備え、該心線接続用トレイ２を前後いずれの方向でも着脱自在に装着できる構成としてなる。  また、前記トレイベース５の両側面部に係止爪部９と、案内リブ１７とを突設し、該係止爪部９が前記トレイ収納ケース４の案内溝１４に摺動自在に嵌装されると共に、該案内溝１４に形成されるロック部１５に係脱する構成としてクロージャ１内での心線接続用トレイ２をトレイベース５と共に、トレイ収納ケース４から引き出し移動位置させて心線接続作業が簡便にできる。
【００１３】
また、前記心線接続用トレイ２に形成した舌状の係止片１８のある心線導出入部１１には、分離スリットのある心線挿通孔を設けた弾性保持部材（図示せず）を圧入嵌合して心線の支持を確実にしてあり、この弾性保持部材は心線径或いは心線数に応じた挿通孔のあるものを選んで用いられる。
さらに、前記コネクタ収納部１２及び心線余長収納部１３は、必要に応じガイドリブ及び側壁を選んで区画してもよいし、心線の浮きを阻止する心線押え片２１或いは係止爪を一体成形して余長の心線や心線接続部となるコネクタを心線接続用トレイ２内に確実に保持できるようにするか、またコネクタ収納部１２或いは心線余長収納部１３のみを区画した心線接続用トレイ２を組合せて一つとした形態としてもよく、各心線接続用トレイ２毎に心線を分離整理収納し、ケーブル挿入部から光ファイバ心線の曲げが極少で心線収納時のねじれをも防止でき、安全かつ高密度収納で高信頼性が得られるようにする。
【００１４】
この場合、多段に積み重ねられた心線接続用トレイ２の中から所望の心線接続用トレイ２の上段側の心線接続用トレイ２の係合凹部７をトレイベース５の係合凸部８から外せば、トレイ収納ケース４から引き出せたのち蓋片６を外して、重ね合せ面を開くことができて下段側の心線接続用トレイ２の内面側が露出されて収納心線の接続配線作業が容易にできる。
なお、前記心線接続用トレイ２には、必要に応じトレイ内の心線を整形するための指挿入用窓孔２１１を形成して、収納心線余長の納め方をすっきりできるようにすることもできる。
【００１５】
さらに、一方の心線接続用トレイ２を他方の心線接続用トレイ２に連結するときは、トレイ収納ケース４に嵌装して水平方向に軽く押し込めば、係合凹部７がその押力で弾性変位して、トレイベース５の係合凸部８に容易に嵌込まれて連結保持される。
また取り外しの際には、トレイ収納ケース４の前方側にトレイベース５をスライドさせると、係止爪部９が外れトレイベース５と一緒に心線接続用トレイ２が前方に引き出せ、係合凹部７を係合凸部８から外せば心線接続用トレイ２が抜き出せ簡単に外すことができ、心線接続用トレイ２内の心線の点検、修理、接続の各作業が簡便に行うことができる。
【００１６】
なお、前記心線導出入部１１は、片側に設けたシングルタイプに限らず両側に対に設け、即ち四隅に設けたダブルタイプのものを用いることもできるし、しかも合成樹脂の射出成形により、心線接続用トレイ２を略正方形、長方形の四角形または楕円形に形成されるので、コネクタ収納部１２に隣接される心線余長収納部１３には所定間隔に配列される心線の押え片２１および蓋片６で伝送特性に悪影響が及ばないように心線がなめらかに湾曲したループ状に巻回保持できるように配慮してある。
例えば、前記心線接続用トレイ２には曲率半径３０ｍｍ以上を確保して心線の取り回し、収納ができ、各種の接続部例えば、融着補強スリーブ、メカニカルスリーブ、ＭＴコネクタなどの収納可能であって、トレイベース５に５段の心線接続用トレイ２を積層し、各トレイ単位で脱着可能に設け、心線余長と心線接続部を一括収納できる。
この場合は、心線接続用トレイ２の一つは、接続部は固定しない構造として心線余長の吸収に自由度を持たせることもできるし、一つのトレイに４０心線分（４心テープ１０本分）の収納が可能で、さらに識別ホルダーを用いれば、２０心単位の心線識別が可能の形態とすることもできる。
【００１７】
前記収納トレイ１０は、各トレイを複数重ね合わせて棚状のトレイ収納ケース４に挿着載置保持され、図５及び図６に示すように二つ割りのスリーブ１１，１２からなる円筒状のクロージャ１内に組み込まれて用いられるが、該スリーブ１１，１２はヒンジ締結具３０により脱着自在に定着すると共に、フレーム４２には配線処理ガイド３１と、光ケーブル把持金具３２１と、テンションメンバ把持金具３２とを一体に形成され、前記スリーブ１１，１２の外側に配置固定できる配線リング３３を備えている。
【００１８】
前記スリーブ１１，１２の両端壁嵌合部に嵌装された端面板２５とを備えたクロージャ１の例で説明すると、端面板２５，２５にスペーサ２６を介して、幹線光ケーブルＡが貫通されて光ケーブル把持金具３１で固定され、かつ、該ケーブルのテンションメンバが、テンションメンバ把持金具３２に接続連結されている。
また主線光ケーブルＡから導出された接続心線ａは、収納トレイ１０の心線接続用トレイ２、心線ドロップ用トレイ３に処理されて端面板２５から導出されて分岐ケーブルＢ及びＣとして配線される。（図１）
前記スペーサ２６には、ドロップ光ケーブルの挿通用の閉塞孔を多数備え、引落し時に閉塞孔を開口してドロップ光ケーブルをクロージャ外に導出入できるようにしてある。（図６）
前記スリーブ１１，１２は、分割接合面にガスケットを介在して突き合わせ密封結合するが、スリーブ外側に設けたヒンジ部にループ状リングからなるヒンジ締結具３０を掛止めて連結一体化するようになっている。
【００１９】
なお、前記心線接続用トレイ２に設けた係合凹部７は、心線接続用トレイ２が複数積み重ねられたときに必要に応じ、支杆２４などをトレイ収納ケース４に嵌挿して連結固定保持するために用いてもよいし、上下段ごとに連結ボスを嵌装して連結する形態とすることもできる。
【００２０】
また、図４に示すように、接続用トレイ２の複数を互に心線取出方向を上面にする方向で水平に、かつそれぞれ個々に保持するトレイベース５では、その心線導出入部に心線通路となる間隔をあけて複数のガイドリブ１７を並設し、複数の心線通路１６１を形成して、トレイが出入する心線を各ガイド片間に通して振り分け配線できるようにしてある。
【００２１】
さらにまた、前記クロージャ１には、図７乃至図１２に示す複数心の光ファイバテープ心線を単心に分岐した際の幹線光ケーブルからの光ファイバテープ心線と、分岐心線のテープ側との接続部と、分岐心線のテープを単心に分離する分岐心線分離部と、分岐心線の単心線側とドロップ心線との接続部とが収納可能な心線ドロップ用トレイ３を複数枚内装配備しているが、該心線ドロップ用トレイ３は、光ファイバ心線ａを導出入する心線導出入部１１と、該心線導出入部１１から入る心線相互を接続したコネクタｂを収納するコネクタ収納部１２と、心線余長を巻回して収納する心線余長収納部１３とを備えた心線ドロップ用トレイ３を複数枚多重に積み重ねてなるもので、心線を収納状態と引出状態で固定でき、また心線を接続、収納した状態で取り出し開閉ができるものである。
この心線ドロップ用トレイ３は、複数層の重合状態でそれぞれヒンジ部４１によって開閉自在に連結されて一組とし、テープ心線から分岐した単心ごとにコネクタと心線余長とを個別に収納できる心線ドロップ用トレイ３に構成され、該心線ドロップ用トレイ３を複数段に前記クロージャ１内に設けたトレイ収納ケース４に挿脱自在に嵌装してある。この場合、前記心線ドロップ用トレイ３が、外装トレイ３１と、該外装トレイ３１内に積層した内装トレイ３２とからなる入れ込み構造とすると共に、該外装トレイ３１と内装トレイ３２とをヒンジ部４１で観音開きに開閉自在に連結して心線ドロップ用トレイ３とする。  例えば４心テープを単心分離し、または分離心線を使用して単心線に変換した接続部及び余長収納するトレイとする。
【００２２】
なお、複数の前記心線ドロップ用トレイ３が、心線の曲率半径円をＳ字状に切り返し可能に一対の楕円筒状リブ１６をトレイ底面上に間隔をあけて対向配備した構成とするのがよい。
また、前記外装トレイ３１の両側面部に係止爪部９と、ドロップテンションメンバ取付部１７２を突設し、該係止爪部９がクロージャ内の前記トレイ収納ケース４の案内溝１４に摺動自在に嵌装されると共に、該案内溝１４に形成されるロック部１５に係脱する構成としてクロージャ１内での心線ドロップ用トレイ２をトレイ収納ケース４から引き出し移動位置させて心線接続作業が簡便にできるようにしてあり、前記ドロップテンションメンバ取付部１７２にはドロップテンションメンバ把持具２７を設けてドロップ光ファイバケーブルＣが固着される。
即ち、前記ドロップテンションメンバ取付部１７２に開閉自在にヒンジ止めした心線押圧片１７１で、Ｎｏ．１〜４の各トレイから出た単心線を押えられるようにし、単心線の飛び出し防止保護し、またドロップテンションメンバ把持具２７に固定されたドロップテンションメンバをさらに上から押しつける着脱自在のドロップホルダー２７１が備えられ、各トレイの移動時にドロップ光ファイバケーブルの捩れ防止に役立て、ドロップ光ファイバケーブルの移動の際に追ずい誘導をスムーズにできるように支持する構成となっている。
【００２３】
なお、前記心線導出入部１１は、片側に設けたシングルタイプに限らず両側に対に設け、即ち四隅に設けたダブルタイプのものを用いることもできるし、しかも合成樹脂の射出成形により、心線ドロップ用トレイ３を略正方形、長方形の四角形または楕円形に形成されるので、コネクタ収納部１２に隣接される心線余長収納部１３には所定間隔に配列される心線ａの押え片２１および蓋片６で伝送特性に悪影響が及ばないように心線がなめらかに湾曲したループ状に巻回保持できるように配慮してある。
例えば、前記心線ドロップ用トレイ３には曲率半径３０ｍｍ以上を確保して心線の取り回し、収納ができ、各種の接続部ｂ例えば、融着補強スリーブ、メカニカルスプライス、ＭＴコネクタなどの収納可能であって、心線ドロップ用トレイ３を４段に積層し、各心線トレイ単位で開閉或いは脱着可能に設け、心線余長と心線接続部を一括収納できる。
この場合は、心線ドロップ用トレイ３の一つは接続部は固定しない構造として心線余長の吸収に自由度を持たせることもできるし、一つのトレイに４０心線分（４心テープ１０本分）の収納が可能で識別ホルダーを用いれば、２０心単位の心線識別が可能の形態とすることもできる。
【００２４】
例えば、各内外装トレイの組合せでは、図８に示す図８（ｂ）と図８（ｄ）とのトレイは一体成形品であり、図８（ｃ）（ｄ）及び図８（ａ）（ｂ）での各トレイは、それぞれヒンジ部４１で連結して組とする方式がとれるし、表面内装トレイの上面に蓋片を付設することもできる。
また図９及び図１０に示す各トレイはそれぞれ組合せてセットすることができ、図９（ａ）（ｃ）、或いは図９（ｃ）及び図１０（ａ）の各トレイをヒンジ部４１に連結して組とする方式を採用することもできる。
【００２５】
前記心線ドロップ用トレイ３は、複数重ね合わせて棚状のトレイ収納ケース４に載置保持され、図１及び図５に示すように二つ割りのスリーブ１１，１２からなる円筒状のクロージャ１内に組み込まれて用いられるが、該スリーブ１１，１２はヒンジ締結具３０により脱着自在に定着すると共に、フレーム４２には配線処理ガイド３１と、ケーブル把持金具３２１と、テンションメンバ把持金具３２とを配置固定でき、前記スリーブ１１，１２の外側に配置固定できる配線リング３３を備えている。この場合、前記配線ガイド３１によりテープ心線とドロップ心線との動きを分離させ、テープ心線は常に配線ガイド３１の後側に配置している。
【００２６】
前記スリーブ１１，１２の両端壁嵌合部に嵌装された端面板２５とを備えたクロージャ１の例で説明すると、端面板２５にスペーサ２６を介して、主線光ケーブルＡが貫通されて光ケーブル把持金具３２１で固定され、かつ、該ケーブルのテンションメンバが、テンションメンバ把持金具３２に接続連結されている。さらに心線ドロップ用トレイ３には取付部１７２を介してドロップテンションメンバ把持具２７を心線導出入部１１の近傍に着脱自在の構造として用いる形態とするのがよく、またドロップテンションメンバーアース線２７２をドロップテンションメンバ把持具２７に装着し、該アース線２７２を配線ホルダー２７３を介して配線ガイド３１に連結し、引き落しケーブルの保護を容易にする。
また前記心線ドロップ用トレイ３から導出された接続心線ａは端面板２５から導出されて分岐ケーブルＢ及びＣとして配線される。前記スリーブ１１，１２は、分割接合面を突き合わせ密封結合するが、スリーブ外側に設けたヒンジ部にループ状リングからなるヒンジ締結具３０を掛止めて連結一体化するようになっている。
【００２７】
以上の構成からなる心線ドロップ用トレイ３において、テープ心線ａは心線ドロップ用トレイ３のいずれか一方の心線導出入部１１から入ると、心線通路を通ると共に心線押さえ用の係止片１８により押されられ、いずれかの心線余長収納部１３内に入る。これらテープ心線ａ１が心線余長収納部１３等内に入るときは、押え片２１で形成された全長通路を通る。そしてテープ心線ａ１は、前記係止片１８によって押さえられるとともに、リブ１６の回りを巻回され、かつコネクタ収納部１２の差込ガイドリブ１２１に取り付けられたコネクタｂまたは分岐部に接続されると共に、コネクタｂから出る心線ａは、その心線余長収納部１３を通って、他方の心線導出入部１１からケース外部に出る。
【００２８】
このように、光ファイバケーブルを加入者宅等に引き落とす際に、トレイ各層が７０度以上開く構造であると共に、単心に分岐するのに心線導出入部１１の一方側から心線ａを入れる場合に、心線余長収納部１３に収納したときは、他方の心線導出入部１１側に出すことができる。
なお、心線導出入部１１の一方側から心線ａを入れて心線余長収納部１３に収納する場合、心線ａの巻回の仕方によって、両方の心線導出入部１１のいずれの側にも出すこともできる。
以上のように、いずれかの心線導出入部１１から心線ａを心線ドロップ用トレイ３内に入れることができ、かつ心線ａの曲率を小さくすることなく（過負荷を加えることなく）、入口側となった心線導出入部１１と同一の又は異なる心線導出入部１１を出口側として出すことができる。これにより、心線の出入口側を自由に選んで、光ケーブル用クロージャ内での心線の配線の便宜を図ることができる。
【００２９】
ここで、心線導出入部１１には、貫通穴が形成されたスポンジゴム等の弾性変形可能な弾性保持部材ｃが設けられ、心線ａは、この貫通穴を通って心線ドロップ用トレイ３内に入り、かつ心線ドロップ用トレイ３外に出る。この心線支持用の弾性保持部材は係止片１８により保持される。
このように弾性保持部材ｃを心線導出入部１１に介在させれば、心線ａが心線導出入部１１を通るときに、心線ａがトレイ本体に擦れることや、或いは引張衝撃等を確実に防止することができる。
【００３０】
そして、前記心線ドロップ用トレイ３をヒンジ部４１で連結した形態としたものを重ね合わせたものとして光ケーブル用クロージャ１内のトレイ収納ケース４に心線接続用トレイ２とともに順次積み重ねられるようにして実装される（図５参照）。この積み重ねには、バンド２８で固定化し、重なり合う心線接続収納トレイ同士をネジ止め等することなく積層連結することができ、高密度収納構造の心線接続クロージャ１とすることができる（図５参照）。
この場合、一つの心線導出入部１１から心線ａを入れ接続部ｂをコネクタ収納部１２に保持し、中央のリブ１６に巻回して同じ心線導出入部１１から取出て配線したり、或いは一方の心線導出入部１１から心線ａを入れ接続部ｂを保持し、心線余長を心線余長収納部１３に取り廻しして他方の心線導出入部１１から取り出す配線形態とすることが、各心線ドロップ用トレイ３ごとに行ってクロージャ１内で整理することができテープ心線から単心に分岐して引き落し配線できる。
【００３１】
例えば、単心分離の場合、現場で光ケーブルの外被を約５００ｍｍはぎ取り、スロットルから出てきた任意テープ心線（４心）を最遠端（５００ｍｍ余長）でカットし、先端から３００ｍｍの位置でツールを用いて単心分離を行いドロップ光ファイバケーブル（×４）と接続した後トレイ収納するが、外装トレイ３１に導入された心線ａは弾性保持部材ｃで固定され、Ｎｏ．１〜４までに分岐されそれぞれのトレイに収納される。
即ち図１１に示すように、Ｎｏ．２の内装トレイ３２にはＮｏ．２の心線ａを心線導出入部１１より入れ心線押え片２１の下をくぐらせて、心線余長収納部１３に引き廻し、単心接続部ｂをコネクタ収納部１２に固定したのち心線ａをリブ１６に巻回して心線導出入部１１より導出し、前記外装トレイ３１のドロップテンションメンバ把持具２７で固定してドロップ光ファイバケーブルをクロージャ１外に引き落される。そして外装トレイ３１内においても内装トレイ３２と同時にＮｏ．１の単心線ａを引き廻し、コネクタ収納部１２と心線余長収納部１３とにそれぞれ整理配線されて、Ｎｏ．２〜４の各トレイから出た単心線とともにドロップテンションメンバ把持具２７に固定された状態で、クロージャ１内に保護される。
【００３２】
さらに分岐心線使用の場合には、現場で光ケーブルの外被を５００ｍｍはぎ取り、スロットルから出て来た任意テープ心線（４心）を最遠端（５００ｍｍ余長）でカットし、分岐心線のテープ側と接続し、さらに分岐心線の単心線とドロップ光ファイバケーブルとを接続後にトレイ収納するが、図１２に示すように、外装トレイ３１に導入されたテープ心線ａ１は弾性保持部材ｃで固定され、Ｎｏ．１〜４までに分岐されそれぞれのトレイに収納される。
例えば、Ｎｏ．２の内装トレイ３２には、Ｎｏ．２の単心線ａを心線導出入部１１より入れて心線押え片２１の下をくぐらせて心線余長収納部１３に引き廻し、単心接続部ｂをコネクタ収納部１２に固定したのち、心線ａをリブ１６の巻回して心線導出入部１１より導出し、外装トレイ３１のドロップテンションメンバ把持具２７で固定し、ドロップ光ファイバケーブルをクロージャ１外に引き落とされる。
そして、外装トレイ３１内では、一方の心線導出入部１１より分岐心線を入れ、分岐心線分離部ｂ１、テープ接続部ｂ２及び単心線接続部ｂをそれぞれコネクタ収納部１２に固定し、内装トレイ３２と同時にＮｏ．１の心線ａを引き廻し、心線余長収納部１３とにそれぞれ整理配線されて、Ｎｏ．２〜４の各トレイから出た単心線とともにドロップテンションメンバ把持具２７に固定された状態で、クロージャ１内に保護されて用いられる。（図１３）
【００３３】
積み重ねた各心線ドロップ用トレイ３は、それぞれ個別にトレイ収納ケース４から前方に引き出し可能で、引き出されたトレイの各層を略７０度以上の角度で開いて固定化できる構造としてあって、各トレイの出し入れや各層を開閉することによってトレイ内に収納された心線に損失などの影響が生ずることなく任意のトレイを取り出すことができる。
【００３４】
また、この前記心線ドロップ用トレイ３を四層トレイとした場合には、Ｎｏ．１までの識別番号３４を外装トレイ３１及び内装トレイ３２に順次つけて配線取扱いやすくしてあり、しかも、内装されるトレイの自由端側の側面にトレイ開き止め用係止ピン３５と内装された際のトレイ撓み防止板３６とを突設してあり、またトレイ内面にトレイ撓み防止用受圧ピン３７を備えて積層したトレイ間での変形しないように配慮されている。
【００３５】
また、前記心線ドロップ用トレイ３に形成した舌状の係止片１８のある心線導出入部１１には、分離スリットのある心線挿通孔を設けた弾性保持部材（図示せず）を圧入嵌合して心線の支持を確実にしてあり、この弾性保持部材は心線径或いは心線数に応じた挿通孔のあるものを選んで用いられる。
さらにコネクタ収納部１２及び心線余長収納部１３は、必要に応じガイドリブ及び側壁を選んで区画してもよいし、心線の浮きを阻止する心線押え片２１或いは係止爪を一体成形して余長の心線や心線接続部となるコネクタを心線ドロップ用トレイ３内に確実に保持できるようにするか、またコネクタ収納部１２或いは心線余長収納部１３のみを区画したトレイ３を組合せて一つとした形態としてもよく、各心線ドロップ用トレイ３毎に心線を分離整理収納し、ケーブル挿入部からファイバ心線の曲げが極少で心線収納時のねじれをも防止でき、安全かつ高密度収納で高信頼性が得られるようにする。
【００３６】
この場合、多段に積み重ねられた心線ドロップ用トレイ３の中から所望のトレイ３の係合凹部７から杆状の係合凸部８を外せば、トレイ収納ケース４から引き出せ、重ね合せ面を開くことができて、下段側の心線ドロップ用トレイ３の内面側をトレイ３或いは蓋片６の取り外しによって露出されて収納心線の接続配線作業が容易にできる。
【００３７】
さらに、一方の心線ドロップ用トレイ３を他方の心線ドロップ用トレイ３に連結するときは、トレイ収納ケース４に嵌装して水平方向に押し込み、貫通孔の係合凹部７に杆状の係合凸部８を挿入して各心線ドロップ用トレイ３が連結保持される。
また取り外しの際には、係合凸部８を取り除いてトレイ収納ケース４の前方側に心線ドロップ用トレイ３をスライドさせると、係止爪部９が外れ心線ドロップ用トレイ３が前方に引き出せ簡単に外すことができ、心線ドロップ用トレイ３内の心線の点検、修理、接続の各作業が簡単に行うことができる。
【００３８】
前記心線ドロップ用トレイ３は、前記心線接続用トレイ２と同様に複数重ね合わせてトレイベース５を介して棚状のトレイ収納ケース４に挿着載置保持され、図１及び図５に示すように二つ割りのスリーブ１１，１２からなる円筒状のクロージャ１内に組み込まれ用いられる。そして図１に示す如く心線ドロップ用トレイ３から導出された接続心線ａは端面板２５から導出されて分岐光ケーブルＢ及びドロップ光ファイバケーブルＣとして配線される。
なお、心線ドロップ用トレイ３に設けた貫通孔係合凹部７は心線ドロップ用トレイ３が複数積み重ねられたときに必要に応じ、蓋片６を嵌装し、蓋押え片２２で止め、係合杆などの係合凸部８をトレイ収納ケース４に嵌挿して連結固定保持するために用いてもよいし、上下段ごとに連結ボスを嵌装して連結する形態とすることもできる。
【００３９】
【発明の効果】
本発明は、クロージャ内に固着したフレームに設けたトレイ収納ケースに対してトレイベースが摺動自在に嵌装され、該トレイベースに突設された係合突部に係合する係止凹部を前記心線接続用トレイの底板の両側縁部対称位置に備え、該心線接続用トレイを前後いずれの方向でも着脱自在に装着できる構成とし、このトレイベースに複数の心線接続用トレイを着脱自在で段積装着し、該心線接続用トレイの上段に心線ドロップ用トレイを装着した積層トレイの収納トレイとし、前記トレイベースを介して前記心線接続用トレイを個別に心線取り出し方向を上面にする方向で水平に挿脱自在に装着して備え、各トレイごとに所定角度開いて保持できる構成とすると共に、心線接続部と心線余長とをそれぞれ個別に収納できる構成としたことで、光ケーブル心線の接続機能とドロップ機能を統合でき、上下の心線接続用トレイおよび心線ドロップ用トレイの係脱がトレイベースによって簡便にできて、簡単に多段に積み重ねることができ、しかも複数枚重ねられた心線接続用トレイ及び心線ドロップ用トレイは、光ケーブルの伝送特性に悪影響を及ぼすことなく光ケーブルの接続や切り替え或いは分岐接続作業や再収集作業が容易に実施でき、複数接続単位で複層化とした高密度収納構造によってテープ心線ごとの収納や整理のほか心線ごとの増減が簡単にでき増設も楽で、きわめてコンパクトに接続部を安全に収納することができるので、心線接続作業後に任意の収納トレイを開いて収納されている光ファイバ心線を迅速に取り出すことができ、心線識別も容易で接続部の再調整や修理など簡単に行うことができ、作業性を大幅に向上すると共に、各収納トレイを必要なだけ複数に積み重ねることができると共に、多段に積み重ねられた収納トレイ全体を的確に保持できて安全性も高められる。
【００４０】
また本発明によれば、心線接続用トレイ及び心線ドロップ用トレイの内部を複層化することで心線余長の収納が収まり良くできるし、心線の巻回収納にも余裕があり、しかも心線の保持も緩衝的に行なわれているので、心線に弛みが生じないし、各心線接続用トレイを展開しても収納した光ファイバの余長部の長さの変化が少ないので、光ファイバ心線に無理な屈曲や小円弧が発生することなく光損失をなくして伝送特性を良好に保ことができる。
さらに、本発明によれば、心線の分岐、引込の際に心線接続用トレイへの心線導出入の自由度があって作業上、心線接続部へのアクセスが簡便化でき、管理や組立分解作業も容易に行なえ、かつ高密度・高信頼性が得られる。殊に、必要なだけ多段に積み重ねた心線接続用トレイ同士が外れたりずれたりすることなく、簡単確実に結合されて識別容易な心線接続部を持ったクロージャとして安全性を大幅に高め、心線余長収納での高信頼性がえられるし、収納トレイ相互間をネジ止め等することなく脱着でき取扱いも著しく容易化でき、かつコンパクト化が図れる。
【図面の簡単な説明】
【図１】  図１は本発明の実施例の一使用状態の一部縦断面図である。
【図２】  図１の例で用いられる心線接続収納ケースを示し、（ａ）はその平面図、（ｂ）はその側面図である。
【図３】  図１の例の心線接続用トレイを示し、（ａ）はその展開平面図，（ｂ）はｂ−ｂ線のける縦断面図，（ｃ）はｃ−ｃ線における縦断面図である。
【図４】  図１の例のトレイベースを示し、（ａ）はその平面図、（ｂ）はその正面図、（ｃ）はその側面図である。
【図５】  図１の例のクロージャを示し、（ａ）はその一部を切欠して内部を示す平面図、（ｂ）はその一部切欠側面図である。
【図６】  図５の例のクロージャを示し、（ａ）はその正面図、（ｂ）はその縦断面図である。
【図７】  本発明の実施例の収納トレイを示す平面図である。
【図８】  図１の例の心線ドロップ用トレイを示し、（ａ）は組込状態の平面図、（ｂ）は一部展開状態の平面図である。
【図９】  図８の例で用いられる心線ドロップ用トレイを示し、（ａ）はその表面内装トレイの平面図、（ｂ）（ｃ）は中間内装トレイの平面図、（ｄ）は外装トレイの平面図である。
【図１０】  図８の別例のトレイの一部を示し、（ａ）はその中間及び表面内装トレイの平面図，（ｂ）はその側面図、（ｃ）は外装トレイの平面図、（ｄ）はその側面図である。
【図１１】  図８のさらに別例のトレイの一部を示し、（ａ）はその中間内装トレイの平面図、（ｂ）はその蓋片の平面図、（ｃ）は中間内装トレイの側面図である。
【図１２】  図８の例の単心分離の配線一使用状態を示し、（ａ）は中間内装トレイの平面図、（ｂ）は外装トレイの平面図である。
【図１３】  図８の例の分岐心線使用の配線一使用状態を示し、（ａ）は中間内装トレイの平面図、（ｂ）は外装トレイの平面図である。
【符号の説明】
Ａ    幹線光ケーブル
Ｂ，Ｃ    分岐光ケーブル
ａ    心線
ａ１  テープ心線
ｂ    コネクタ
ｂ１  分岐心線分離部
ｂ２  テープ接続部
ｃ    弾性保持部材
１    クロージャ
１１，１２  スリーブ
２    心線接続用トレイ
３    心線ドロップ用トレイ
３１  外装トレイ
３２  内装トレイ
４    トレイ収納ケース
４１  ヒンジ部
４２  フレーム
５    トレイベース
６    蓋片
７    係合凹部
８    係合凸部
９    係止爪部
１０    収納トレイ
１１    心線導出入部
１２    コネクタ収納部
１２１  差込サイドリブ
１３    心線余長収納部
１４    案内溝
１６    リブ
１６１  心線通路
１７    案内リブ
１７１  心線押圧片
１７２  ドロップテンションメンバ取付部
１８    係止片
１９    係止爪部
２０    ヒンジ部
２１    心線押え片
２１１  指挿入用窓孔
２２    蓋押え片
２３    ヒンジ部
２４    支杆
２５    端面板
２６    スペーサ
２７    テンションメンバ把持具
２７１  ドロップホルダー
２７２  ドロップテンションメンバアース線
２７３  配線ホルダー
２８    バンド
２９    係止爪部
３０    ヒンジ締結具
３１    光ケーブル把持金具
３２    テンションメンバ把持金具
３２１  光ケーブル把持金具
３３    配線リング
【図１】
0004142819.tif 000002
【図２】
0004142819.tif 000003
【図３】
0004142819.tif 000004
【図４】
0004142819.tif 000005
【図５】
0004142819.tif 000006
【図６】
0004142819.tif 000007
【図７】
0004142819.tif 000008
【図８】
0004142819.tif 000009
【図９】
0004142819.tif 000010
【図１０】
0004142819.tif 000011
【図１１】
0004142819.tif 000012
【図１２】
0004142819.tif 000013
【図１３】
0004142819.tif 000014